(57)【要約】 【課題】チケットに対応していないチケット非対応遊技機においても、チケットと同様な利便性を有した遊技を行い、また、クレジット情報の不正変換を防ぐ。【解決手段】遊技機用データコンバータにおいて、チケットに記録されるクレジット情報を電子媒体に移し替える機能を備え、チケットに記録された遊技機のクレジット情報を読み出す読み出し部１ｇと、読み出したクレジット情報を電子媒体に適応したデータ形式にデータ変換するデータ変換部１ｄと、データ形式を変換したクレジット情報を電子媒体に書き込む書き込み部１ｆとを備える。クレジット管理システムは、遊技機用データコンバータと、クレジット情報を管理するデータ管理部とを備える。クレジット情報は、クレジットを特定するクレジット識別データとクレジットの価値を表すクレジットデータを備え、データ管理部は、クレジット識別データに基づいてクレジットを特定し、クレジットを管理する。【選択図】図１
2007136072.tif 000002
【特許請求の範囲】
【請求項１】
チケットに記録されたクレジット情報を用いて動作するチケットシステムにおいて、
当該チケットシステムを利用することができるチケット対応遊技機と、
当該チケットシステムを利用することができないチケット非対応遊技機とを備える遊技機施設において、
チケットシステムで使用するチケットをチケット非対応遊技機で共用させる遊技機用データコンバータであって、
チケットに記録された遊技機のクレジット情報を読み出す読み出し部と
前記読み出したクレジット情報を特定し、電子媒体に適応したデータ形式にデータ変換するデータ変換部と、
前記データ形式を変換したクレジット情報を電子媒体に書き込む書き込み部とを備えることを特徴とする、遊技機用データコンバータ。
【請求項２】
前記クレジット情報は、クレジットを特定するクレジット識別データとクレジットの価値を表すクレジットデータを備えることを特徴とする、請求項１に記載の遊技機用データコンバータ。
【請求項３】
前記書き込み部は、
カードを特定するカード識別データを有しているカードに搭載される電子媒体には前記クレジット情報を書き込み、
カードを特定するカード識別データを有していないカードに搭載される電子媒体には前記クレジット情報と当該カードを特定するカード識別データを書き込むことを特徴とする、請求項１又は２に記載の遊技機用データコンバータ。
【請求項４】
前記書き込み部は、
カードを特定するカード識別データを有しているカードに搭載される電子媒体には前記クレジット識別データを書き込み、
カードを特定するカード識別データを有していないカードに搭載される電子媒体には前記クレジット識別データと当該カードを特定するカード識別データを書き込むことを特徴とする、請求項２に記載の遊技機用データコンバータ。
【請求項５】
前記書き込み部は、前記カードを特定するカード識別データを生成し、当該生成したカード識別データをカードに搭載される電子媒体に書き込むことを特徴とする、請求項３又は４に記載の遊技機用データコンバータ。
【請求項６】
データ管理部と送受信する送受信部を備え、
当該送受信部がデータ管理部に送るデータは、書き込まれたカード識別データ及びクレジット識別データを含むことを特徴とする、請求項３又は４に記載の遊技機用データコンバータ。
【請求項７】
データ管理部と送受信する送受信部を備え、
前記書き込み部は、カードを特定するカード識別データをデータ管理部から取り込み、当該取り込んだカード識別データをカードに搭載される電子媒体に書き込むことを特徴とする、請求項３又は４に記載の遊技機用データコンバータ。
【請求項８】
チケットに記録されたクレジット情報を用いて動作するチケットシステムにおいて、
当該チケットシステムを利用することができるチケット対応遊技機と、
当該チケットシステムを利用することができないチケット非対応遊技機とを備える遊技機施設において、
チケットシステムで使用するチケットをチケット非対応遊技機で共用させる遊技機用データコンバータであって、
電子媒体に記録された遊技機のクレジット情報を読み出す読み出し部と
前記読み出したクレジット情報を特定し、チケットに適応したデータ形式にデータ変換するデータ変換部と、
前記データ形式を変換したクレジット情報をチケットに書き込む書き込み部とを備えることを特徴とする、遊技機用データコンバータ。
【請求項９】
前記チケットに記録されるクレジット情報は、バーコードのデータ形式で記録されることを特徴とする、請求項１乃至８の何れか一つに記載の遊技機用データコンバータ。
【請求項１０】
前記クレジット識別データは、当該クレジット識別データの有効期間を定める時限データを含み、
前記データ変換部は、データ変換時に時限データを設定することを特徴とする、請求項１乃至９の何れか一つに記載の遊技機用データコンバータ。
【請求項１１】
前記電子媒体は、ＩＣカードに搭載される半導体記録媒体又は磁気カードに搭載される磁気記録媒体であることを特徴とする請求項１乃至１０の何れか一つに記載の遊技機用データコンバータ。
【請求項１２】
チケットに記録されたクレジット情報を用いて動作するチケットシステムにおいて、
当該チケットシステムを利用することができるチケット対応遊技機と、
当該チケットシステムを利用することができないチケット非対応遊技機とを備える遊技機施設において、
チケット対応遊技機及びチケット非対応遊技機において共用されるチケットのクレジット情報を管理するクレジット管理システムであって、
遊技機のクレジット情報をチケットから電子媒体にデータ変換して移し替える遊技機用データコンバータと、クレジット情報を管理するデータ管理部とを備え、
前記クレジット情報は、クレジットを特定するクレジット識別データとクレジットの価値を表すクレジットデータを備え、
前記データ管理部は、各クレジット情報に付与されたクレジット識別データに基づいてクレジットを特定し、クレジットを管理することを特徴とする、クレジット管理システム。
【請求項１３】
前記遊技機用データコンバータは、カードに搭載される電子媒体に対して、
カードを特定するカード識別データを有しているカードの場合には前記クレジット情報を書き込み、
カードを特定するカード識別データを有していないカードの場合には前記クレジット情報と当該カードを特定するカード識別データを書き込み、
前記データ管理部は、前記カード識別データに基づいてカードを特定し、前記クレジット識別データに基づいてクレジットを特定し管理することを特徴とする請求項１２に記載のクレジット管理システム。
【請求項１４】
前記遊技機用データコンバータは、クレジット情報のデータ交換時に当該クレジットのクレジット識別データをデータ管理部に送信し、
前記データ管理部は、前記遊技機用データコンバータから受信したクレジット識別データにより、当該クレジットのデータ交換を管理することを特徴とする、請求項１２に記載のクレジット管理システム。
【請求項１５】
前記遊技機用データコンバータは、クレジット情報のデータ交換時に当該クレジットのクレジット情報をデータ管理部に送信し、
前記データ管理部は、前記遊技機用データコンバータから受信したクレジット情報により、当該クレジットのデータ交換及びデータ交換されたクレジットデータを管理することを特徴とする、請求項１２に記載のクレジット管理システム。
【請求項１６】
前記クレジット識別データは、当該クレジット識別データの有効期間を定める時限データを含み、
前記遊技機用データコンバータは、データ変換時に時限データを設定し、
前記データ管理部は、前記時限データに設定される有効期間に基づいてクレジットの有効性を判定することを特徴とする、請求項１２乃至１５の何れか一つに記載のクレジット管理システム。
【発明の詳細な説明】
【技術分野】
【０００１】
本発明は、クレジットを使用する遊技機に関し、特に、遊技機が発行するクレジットを他の遊技機に使用とする遊技機用データコンバータ、及び遊技機用データコンバータを備えるクレジット情報管理システムに関する。
【背景技術】
【０００２】
遊技施設では、クレジットをコインに変換し、このコインを遊技機に投入することによって遊技機を利用することが一般に行われている。なお、ここでクレジットとは、貨幣等の汎用性を有した交換価値を表している。コインは嵩や重さの点で利用時の便宜性の点で問題があるため、このコインの代わりにチケットを利用して遊技機も提案されている。
【０００３】
このチケットを用いた遊戯施設では、チケット発行所においてコインに代えてチケットを発行する。このチケットには、バーコードなどによってクレジットに応じたコードデータが紙片上に印刷されている。遊技機はこのチケット上に印刷されたバーコードを読み取る読み取り装置を備えている。遊技者がチケットを遊技機の読み取り装置にチケットを挿入すると、遊技機は読み取ったバーコードに記載されたクレジットに基づいて遊技を実行する（例えば、特許文献１参照）。
【０００４】
また、チケットを利用したゲーム機器に関連する先行技術として上記の特許文献の他、特許文献２〜８が知られている。
【０００５】
【特許文献１】米国特許第６７２９９５７号明細書
【特許文献２】米国特許第５２６５８７４号明細書
【特許文献３】米国特許第５２９００３３号明細書
【特許文献４】米国特許第５４２９３６１号明細書
【特許文献５】米国特許第５４７００７９号明細書
【特許文献６】米国特許第６０４８２６９号明細書
【特許文献７】米国特許第６７２９９５８号明細書
【特許文献８】米国特許第６７３６７２５号明細書
【発明の開示】
【発明が解決しようとする課題】
【０００６】
一般に、遊技施設内には、スロットマシン、パチンコ機等種々の遊技態様の遊技機が設置される。これら遊技機は、異なる遊技態様の遊技機に限らず、同じ遊技態様の遊技機であっても、遊技機メーカーや製造時期等が異なる等によってその遊技機が備える遊技機構は同じではなく様々である。そのため、同一遊技施設内であっても、かならずしも全ての遊技機においてチケットが利用できるとは限らず、チケットに対応しない遊技機も設置されている。したがって、チケットが利用可能な機構が導入されていない遊技機では、チケットを利用して遊技を行うことはできない。
【０００７】
図１７は、チケットを用いた遊技機を説明するための図である。図１７（ａ）は、コインに対応した遊技機を示し、遊技機３はコイン１３を投入することで遊技を実行する。図１７（ｂ）はチケットに対応したチケット対応遊技機を示している。チケット対応遊技機３αは、チケット１１に記録されたクレジット情報をチケット読み取り装置で読み取ることによって、コインに代えてチケットによって遊技を実行する。
【０００８】
図１７（ｃ）はチケットに対応していないチケット非対応遊技機を示している。チケット非対応遊技機３βは、チケットに記録されたクレジット情報を読み取ることができないため、チケットを用いて遊技を行うには、所有するチケット１１を遊技施設に設けられたカウンタ等の変換施設において、チケットに記録されたクレジットを利用しようとする遊技機で利用可能なコイン１３等の旧媒体に変換し、変換したコイン１３を用いることによってチケット非対応遊技機３βを利用する。
【０００９】
そのため、遊技者はチケットが有する利便性を享受することができないことになる。
【００１０】
チケットに対応していないチケット非対応遊技機にチケット読み取り装置を設けることによって上記問題は一応解決されるが、この場合には各遊技機にチケット読み取り装置を設置しなければならず、遊技機を交換する度にチケット読み取り装置を設置しなければならないという別の問題が発生することになる。
【００１１】
また、クレジット情報を変換する際には、クレジット情報が不正に変換されることを防ぐことが必要である。上記した様に、単にチケット非対応遊技機にチケット読み取り装置を設けることでクレジット情報の変換を行う構成では、クレジット情報の不正変換を防ぐことが困難であるという問題がある。
【００１２】
そこで、本発明は、前記した課題を解決して、チケットに対応していないチケット非対応遊技機においても、チケットと同様な利便性を有した遊技を行うことを目的とし、クレジット情報の不正変換を防ぐことを目的とする。
【課題を解決するための手段】
【００１３】
本発明は、チケットに記録されたクレジットに係わるクレジット情報を電子媒体に移し替えることによって、チケットに対応していないチケット非対応遊技機においても、チケットと同様な利便性を損なうことなく遊技を行う。また、本発明は、このクレジット情報を特定することでクレジットの不正変換を防ぐ。
【００１４】
本発明は、チケットから電子媒体にクレジット情報を変換する遊技機用データコンバータの形態、及びこの遊技機用データコンバータでデータ変換したクレジット情報を管理するデータ管理部を備えクレジット管理システムの形態を含む。
【００１５】
遊技機用データコンバータの形態において、本発明の遊技機用データコンバータは、チケットに記録されるクレジット情報を電子媒体に移し替える機能を備え、チケットに記録された遊技機のクレジット情報を読み出す読み出し部と、読み出したクレジット情報を電子媒体に適応したデータ形式にデータ変換するデータ変換部と、データ形式を変換したクレジット情報を電子媒体に書き込む書き込み部とを備える。
【００１６】
クレジットは貨幣等の汎用性を有した交換価値を表すものであり、ここでは、主に遊技機の利用の享受と交換することができる交換価値を表している。クレジットは、このクレジットが備える価値分だけ遊技機を利用することができ、また、他の物品との交換、あるいはサービスの享受に利用することもできる。
【００１７】
本発明のクレジット情報は、クレジットの価値を表すクレジットデータと、クレジットを特定するクレジット識別データとを備える。本発明は、このクレジット識別データによってクレジット自体を特定し、チケットからカード等の記録媒体へのデータ変換において変換するクレジットの特定をクレジット識別データで行う他、記録媒体に記録したクレジットを利用する際にも、このクレジット識別データによってクレジットを特定し、クレジットに利用の有無の管理を行うことができる。
【００１８】
本発明の遊技機用データコンバータは、クレジット情報が記録される記録媒体が一方はチケットであり、他方はチケット以外の他の記録媒体あるいはチケットであってもその寸法が異なるといった様に、記録媒体の形態が異なることに起因する不都合を解消する他に、記録媒体に記録されるクレジット情報のデータ形態が異なることに起因する不都合を解消する。
【００１９】
遊技機用データコンバータが備える読み出し部は、チケットに記録されているクレジット情報を読み出す。例えば、クレジット情報がバーコードの形態でチケットに記録されている場合には、読み出し部はバーコードリーダで構成することができる。
【００２０】
遊技機用データコンバータが備えるデータ変換部は、読み出し部で読み出したクレジット情報を、変換先の記録媒体で記録することができるデータ形式、及びデータ仕様に変換する。データ形式としては、例えばアスキーコード等のコード形式であり、データ仕様としては、例えばクレジット情報を表すビット数や情報の配列順等のデータ構造がある。なお、このデータ形式は一例であって、如何なるデータ形式とするかは、利用する遊技機に応じて異なる。
【００２１】
遊技機用データコンバータは、チケットに記録されるクレジット情報のデータ形式やデータ仕様と、変換先である遊技機に適用されているデータ形式やデータ仕様に基づいて、これらの間を変換する変換プログラムを有し、この変換プログラムに従ってデータ変換を行う。
【００２２】
したがって、データ変換部は、このデータ交換を行うハードウエア機構は、例えば、変換プログラムを格納する記憶部や、読み取り部から読み取ったクレジット情報のデータや、変換処理中のデータや、変換後のデータ等を一次的に格納する記憶部と、変換プログラムに従ってデータ変換を行うＣＰＵ等の信号処理部等で構成することができる。
【００２３】
また、データ変換部は、クレジット情報に基づいてクレジットを特定することで、クレジットの不正な変換を防ぐ。
【００２４】
書き込み部は、データ形式を変換したクレジット情報を電子媒体に書き込む機能を備え、電子媒体に応じた構成を備える。例えば、電子媒体が磁気記録媒体である場合には、磁気記録ヘッドを有する構成とし、また、電子媒体が半導体メモリである場合には、ＲＯＭライターを有する構成とすることができる。
【００２５】
本発明において、電子媒体を支持する支持体としてカードを用いることができる。遊技機用データコンバータにおいて、チケットに記録されるクレジット情報を読み出し、カードに搭載される電子媒体に変換したクレジット情報を記録する際、カードの特定はカード毎に設定したカード識別データを用いる。
【００２６】
カードを利用する場合には、このカードにクレジット情報とカード識別データとを記録する態様の他に、カードにカード識別データのみを記録し、クレジット情報は記録しない態様の二つの態様とすることができる。
【００２７】
カードにクレジット情報とカード識別データとを記録する第１の態様では、書き込み部は、会員カードのように、既にカードにそのカードを特定するカード識別データが記録されている場合には、そのカードに搭載される電子媒体にクレジット情報のみを書き込む。
【００２８】
また、即時カードのように、カードを特定するカード識別データが設定されていない場合には、そのカードに搭載される電子媒体にはクレジット情報に加えてそのカードを特定するカード識別データを書き込む。
【００２９】
カードにクレジット情報とカード識別データとを記録する態様によれば、クレジット情報はカード側の管理することができ、利用者はそのカード単位で独立してクレジットを管理することができ、仮にクレジットが不正変換された場合であっても、そのカードに記録されたクレジットのみに限定させることができる。
【００３０】
また、カード識別データでカード自体と特定することに加えて、クレジット情報に含まれるクレジット識別データでクレジットを特定することによってクレジットの不正変換を防止することができる。
【００３１】
カードにカード識別データのみを記録する第２の態様において、書き込み部は、会員カードのように、既にカードにそのカードを特定するカード識別データが記録されている場合には、そのカードに搭載される電子媒体にクレジット識別データのみを書き込む。
【００３２】
また、即時カードのように、カードを特定するカード識別データが設定されていない場合には、そのカードに搭載される電子媒体にはクレジット識別データと当該カードを特定するカード識別データを書き込む。
【００３３】
カードにクレジット情報を記録せず、カード識別データのみを記録する態様では、クレジット情報はデータを管理するデータ管理側で一括して管理することができる。
【００３４】
また、カード識別データでカード自体を特定することに加えて、クレジット情報に含まれるクレジット識別データでクレジットを特定することによってクレジットの不正変換を防止することができる。
【００３５】
即時カードのように、カードを特定するカード識別データが設定されていない場合には、データ変換時において、書き込み先のカードを特定するカード識別データを生成する必要がある。
【００３６】
このカード識別データの生成は、遊技機用データコンバータ側で行う態様の他に、データ管理部側で行う態様としてもよい。
【００３７】
カード識別データの生成を遊技機用データコンバータ側で行う態様では、書き込み部は、カードを特定するカード識別データを生成し、この生成したカード識別データをカードに搭載される電子媒体に書き込む。また、遊技機用データコンバータ側は、データ管理部と送受信する送受信部を備えた構成とし、送受信部はカード識別データ及びクレジット識別データをデータ管理部に送る。
【００３８】
データ管理部は、送られたカード識別データによってカードを特定すると共に、クレジット識別データによってクレジットを特定し、クレジットの管理と、不正使用を監視する。  また、カード識別データの生成をデータ管理部側で行う態様では、書き込み部は、データ管理部側が生成したカード識別データを取得し、このデータ管理部側から取得したカード識別データをカードに搭載される電子媒体に書き込む。
【００３９】
データ管理部は、生成したカード識別データによってカードを特定すると共に、クレジット識別データによってクレジットを特定し、クレジットの管理と、不正使用を監視する。
【００４０】
また、本発明の遊技機用データコンバータは、カードに搭載される電子媒体の記録されたクレジット情報をチケット用に変換し、チケットに記録させる構成とすることもできる。
【００４１】
この遊技機用データコンバータは、電子媒体に記録された遊技機のクレジット情報を読み出す読み出し部と、読み出したクレジット情報を、チケットに適応したデータ形式にデータ変換するデータ変換部と、データ形式を変換したクレジット情報をチケットに書き込む書き込み部とを備える。ここで、チケットに記録されるクレジット情報は、バーコードのデータ形式とし、チケット上に印刷や磁気記録で記憶することができる。
【００４２】
また、本発明のクレジット識別データは、このクレジット識別データの有効期間を定める時限データを含むことができる。データ変換部は、データ変換時に時限データを設定し、このクレジット識別データが特定するクレジットの有効性を補償する時間的期限を定める。
【００４３】
時限データは、有効性が終了する終了時刻を表す時刻データ、有効性の開始時刻と終了時刻を表す時刻データ、有効性の開始時刻を表す時刻データ及び有効時間幅を表す時間幅データ等、種々の形態とすることができる。
【００４４】
データ管理部や遊技機は、この時限データに基づいてクレジットの利用期間を管理し、有効期間外となったクレジットについては、利用を制限する。この時限データによってクレジットの有効性に時間的な制限を加えることで、クレジットが不正利用される機会を減少させことができる。
【００４５】
なお、変換されたクレジット情報を記録する電子媒体は、ＩＣカードに搭載される半導体記録媒体又は磁気カードに搭載される磁気記録媒体を用いることができる。
【００４６】
また、本発明のクレジット管理システムの態様は、遊技機のクレジット情報をチケットから電子媒体にデータ変換して移し替える遊技機用データコンバータと、クレジット情報を管理するデータ管理部とを備える。
【００４７】
ここで、遊技機用データコンバータは、前記態様と同様とすることができ、また、クレジット情報は、クレジットを特定するクレジット識別データとクレジットの価値を表すクレジットデータを備える。
【００４８】
データ管理部は、複数の遊技機及び遊技機用データコンバータと共に遊技施設内に設置され、遊技機や遊技機用データコンバータとの間は、有線あるいは無線のネットワークによって接続されている。データ管理部は、各クレジット情報に付与されたクレジット識別データに基づいてクレジットを特定し、クレジットを管理する。なお、遊技施設内において、遊技機用データコンバータは１台とすることも、複数台とすることもできる。
【００４９】
遊技機用データコンバータは、カードに搭載される電子媒体に対して、カードを特定するカード識別データを有しているカードに搭載されるカードには前記クレジット情報を書き込み、カードを特定するカード識別データを有していないカードに搭載されるカードにはクレジット情報と当該カードを特定するカード識別データを書き込む。データ管理部は、カード識別データに基づいてカードを特定し、クレジット識別データに基づいてクレジットを特定し管理する。
【００５０】
データ管理部は、前記した様に、送られたカード識別データによってカードを特定すると共に、クレジット識別データによってクレジットを特定し、クレジットの管理と、不正使用を監視する。  
【００５１】
遊技機用データコンバータは、クレジット情報のデータ交換時にこのクレジットのクレジット識別データをデータ管理部に送信する。データ管理部は、遊技機用データコンバータから受信したクレジット識別データに用いてクレジットのデータ交換を管理する。
【００５２】
また、遊技機用データコンバータは、クレジット情報のデータ交換時にこのクレジットのクレジット情報をデータ管理部に送信する。データ管理部は、遊技機用データコンバータから受信したクレジット情報により、このクレジットがデータ交換されたこと、及びデータ交換されたクレジットデータを管理する。
【００５３】
クレジット識別データに、そのクレジット識別データの有効期間を定める時限データが含ませる場合には、遊技機用データコンバータは、データ変換時に時限データを設定する。データ管理部は、時限データに設定される有効期間に基づいてクレジットの有効性を判定する。
【発明の効果】
【００５４】
本発明の遊技機用データコンバータ、及びクレジット管理システムは、チケットに対応していないチケット非対応遊技機においても、チケットと同様な利便性を有した遊技を行うことができ、また、クレジット情報の不正変換を防ぐことができる。
【発明を実施するための最良の形態】
【００５５】
以下、本発明の実施の形態について、図を用いて詳細に説明する。
【００５６】
図１、図２は、本発明の遊技機用データコンバータの利用形態を説明するための図である。
【００５７】
図１（ａ）は、チケットを利用することができないチケット非対応遊技機の場合を示している。
【００５８】
遊技施設内において、利用者は他の遊技機において取得したクレジット情報をチケット１１に記録して保持する他、遊技施設が備えるカウンタにおいてクレジットを取得し、そのクレジットをチケット１１にクレジット情報として記録する。
【００５９】
利用者は、このチケット１１を用いてチケット非対応遊技機３αを利用することはできない。これは、チケット非対応遊技機３αがチケットに記録されるクレジット情報を読み取ることができないためである。
【００６０】
そこで、本発明では、遊技機用データコンバータ１を用いてチケット１１に記録されるクレジット情報を記録媒体１２に移し替え、この記録媒体１２に記録されるクレジット情報をチケット非対応遊技機３αが備える記録媒体読み取り装置で読み取らせる。チケット非対応遊技機３αは、チケットから電子媒体に、クレジット情報をデータ変換して移し替えることによって、チケット非対応の遊技機であってもクレジットを利用した遊技を可能とする。
【００６１】
本発明の遊技機用データコンバータは、上記したチケット非対応遊技機だけでなく、チケットを用いて遊技を行うことができるチケット対応遊技機にも適用することができる。
【００６２】
図１（ｂ）は、チケットの利用が可能なチケット対応遊技機の場合を示している。
【００６３】
利用者は、このチケット１１を用いてチケット対応遊技機３βを利用する他、チケット１１に記録されるクレジット情報を遊技機用データコンバータ１でデータ変換し、移し替えた記録媒体１２を用いてチケット対応遊技機３βを使用することができる。
【００６４】
図１（ｂ）に示す利用態様では、チケット１１をそのまま利用してチケット対応遊技機３βを使用する他に、遊技機用データコンバータ１でデータ変換した記録媒体１２を利用してチケット対応遊技機３βを使用する。
【００６５】
チケット対応遊技機においても記録媒体１２を利用する態様とすることによって、チケットによる利用態様と記録媒体による利用態様の両態様に対応が可能となり、クレジットを用いた遊技機の利用態様の汎用性を高めることができる。
【００６６】
図２は、チケット対応遊技機３βで取得したクレジットを用いて、チケット非対応遊技機３α、あるいは別のチケット対応遊技機３βを利用する態様を示している。
【００６７】
チケット対応遊技機３β１で取得したクレジットは、例えばバーコード等の記録形態でチケット１１に記録される。このチケット１１へのクレジットの記録は、クレジット自体を表すクレジットデータと、このクレジットと一対一で対応付けられ、クレジットを特定するクレジット識別データとを含んだクレジット情報の形態で行われる。
【００６８】
別のチケット対応遊技機３β２を利用する場合には、このチケット１１をそのまま利用することができる。
【００６９】
また、チケット非対応遊技機３αを利用する場合には、チケット１１を遊技機用データコンバータ１でデータ変換したクレジット情報を記録媒体１２に移し替え、この記録媒体１２を用いてチケット非対応遊技機３αによる遊技を行う。
【００７０】
また、チケットと記録媒体の両方の利用が可能なチケット対応遊技機３β２を利用する場合には、チケット１１をそのまま利用する他に、チケット１１を遊技機用データコンバータ１でデータ変換したクレジット情報を記録媒体１２に移し替え、この記録媒体１２を用いて遊技を行うことができる。
【００７１】
このように、遊技機用データコンバータを用いることで、クレジットの利用形態を異にする様々な遊技機を利用することができ、遊技機の利用の汎用性を高めることができる。
【００７２】
また、遊技機や遊技機用データコンバータとの間で授受されるクレジット情報に、クレジット自体を表すクレジットデータと共に、クレジットを特定するクレジット識別データを付加することによって、データ変換時や、クレジットの利用時等のクレジットの不正利用が発生し易い場面において、クレジットをクレジット識別データで容易に識別し特定することができ、クレジットの不正利用を抑制することができる。
【００７３】
図３は、クレジットの利用する遊技機、及び遊技機施設が備える構成を説明するための図である。図３において、遊技施設内には、複数の遊技機３，３Ａ〜３Ｃと、遊技機用データコンバータ１と、データ管理部２が設けられ、これらは有線あるいは無線で接続されている。なお、データ管理部２はホストＣＰＵを備え、各種動作を制御している。
【００７４】
遊技機３は、遊技機自体を構成する表示部３ｃ及び遊技機の機能を制御するための遊技制御部３ｄを備えている。この構成は、通常の遊技機が備える構成とすることができるため、ここでは説明を省略する。
【００７５】
遊技機３は、クレジットに基づいて遊技機の動作させる機構として、コイン認識部３ｅ，記録媒体読み取り部３ｆ、バーコード読み取り部３ｇ、及び制御部３ａを備える。
【００７６】
コイン認識部３ｅは、投入されたコイン１３を認識する。制御部３ａは、コイン１３に付与されたクレジットの数量に基づいて遊技制御部３ｄを制御して遊技機を実行し、表示部３ｃに表示する。この動作は、通常の遊技機と同様である。
【００７７】
バーコード読み取り部３ｇは、チケット１１に記録されたクレジット情報を読み取り、読み取ったクレジット情報を制御部３ａに送る。制御部３ａは、バーコード読み取り部３ｇが読み取ったクレジット情報に基づいて、クレジットが正規なものかあるいは不正なものであるかの正当性を判定し、正規なクレジットであると認定した場合には、クレジットの数量に基づいて遊技制御部３ｄを制御して遊技機を実行し、表示部３ｃに表示する。
【００７８】
記録媒体読み取り部３ｆは、記録媒体１２に記録されたクレジット情報を読み取り、読み取ったクレジット情報を制御部３ａに送る。制御部３ａは、記録媒体読み取り部３ｆが読み取ったクレジット情報に基づいて、クレジットが正規なものかあるいは不正なものであるかのクレジットの正当性を判定し、正規なクレジットであると認定した場合には、クレジットの数量に基づいて遊技制御部３ｄを制御して遊技機を実行する。
【００７９】
また、遊技機３は、クレジットを発行するチケット発行部３ｈを備える。チケット発行部３ｈは、遊技機３を実行することで得られたクレジット、あるいはコイン１３の投入で得られたクレジット等をチケットに記録して発行する。チケットの発行は、チケット印刷部３ｈ１によりバーコードを印刷すること行う。バーコードは、発行するクレジット及びこのクレジットを特定するクレジット識別データを含むクレジット情報を、デコードすることで得られる。
【００８０】
遊技機３は送受信部３ｂを備え、データ管理部２との間でデータの授受を行う。授受するデータとしては、例えば、各遊技機３による遊技の状態や履歴の関するデータ、コイン認識部３ｅで認識したコインの認識履歴データ、記録媒体読み取り部３ｆで読み取った読み取り履歴、バーコード読み取り部３ｇで読み取った読み取り履歴、チケット発光部３ｈで発行した発行履歴、制御部３ａにより制御状態や制御履歴の管理データや、クレジット情報がある。
【００８１】
クレジット情報は、クレジット自体を表すクレジットデータと、クレジットを特定するクレジット識別データを含む。クレジットデータからは、例えばクレジットの数量を知ることができる。また、クレジット識別データは各クレジットに対して一体一で定められているため、どのクレジットであるかを特定することができる。
【００８２】
データ管理部２は、各遊技機３，３Ａ〜３Ｃと遊技機用データコンバータ１と接続され、各遊技機や遊技機用データコンバータの動作状況を管理する他、各遊技機や遊技機用データコンバータで取り扱ったクレジットを管理する。このクレジットの管理は、クレジット情報が含むクレジット識別データに基づいて各クレジットを特定することで行うことができる。
【００８３】
以下、チケットの発行処理について、図４の流れを説明するための図、及び図５の機能ブロック図を用いて説明し、クレジットの還元処理について、図６の処理の流れを説明するための図を用いて説明する。
【００８４】
図４は、チケット発行部３ｈによるチケット発行処理の手順例を示している。図４は、遊技機がデータ管理部に対してチケット発行を求め、データ管理部の認証及びデータ管理部が生成するクレジット識別データに基づいて、チケットを発行する手順について示している。なお、以下の各手順図において、各手順は（Ｓ）の符号で示している。
【００８５】
遊技機において、チケット発行が要求されると、チケット発行要求をデータ管理部に送信する（Ｓ１）。データ管理部は、チケット発行要求を受信すると（Ｓ２）、発行を要求した遊技機を認証し、認証したことを遊技機に返信する。遊技機の認証は、例えば各遊技機に予め設定しておいた識別データを照合することで行うことができる。遊技機の認証が失敗した場合には、例えば、データ管理部に認証失敗を表示する（Ｓ３）。
【００８６】
認証された遊技機は、発行が求められたクレジットデータを読み出し（Ｓ４）、読み出したクレジットデータをデータ管理部に送信する（Ｓ５）。
【００８７】
データ管理部は、遊技機から送られたクレジットデータを取得し（Ｓ６）、取得したクレジットに対して、そのクレジットを特定するクレジット識別データを生成し（Ｓ７）、クレジットデータと合わせてクレジット情報を生成し（Ｓ８）、生成したクレジット情報を当該遊技機に送信する（Ｓ９）。
【００８８】
遊技機は、データ管理部から送信されたクレジット情報を受信し（Ｓ１０）、チケット印刷部でチケット面上にクレジット情報を印刷する。クレジット情報の印刷は、例えば、クレジット情報をバーコードに変換することで行う（Ｓ１１）。
【００８９】
図５において、データ管理部２は、遊技機から送られたクレジットデータ９０ａと、生成したクレジット識別データ９０ｂとを用いてクレジット情報９０を生成し、チケット１１上のバーコード１１ａの形態で印刷する。
【００９０】
なお、チケットの発行は、この手順に限らず他の手順としてもよい。例えば、遊技機はデータ管理部に対して、チケット発行の認証やクレジット識別データの生成を求めず、遊技機側においてチケットの発行を決定し、クレジット識別データを生成して、クレジット情報を生成し、これに基づいてチケットを発行するようにしてもよい。この場合には、データ管理部に対して生成したクレジット情報、あるいはクレジット識別データのみを送ることによって、データ管理部側でのクレジットの管理を可能とするようにしてもよい。クレジット識別データのみを送る場合には、データ管理部はクレジットの有無のみ管理し、クレジットの数量については管理を行わない管理形態とすることができる。
【００９１】
発行されたチケットを用いて遊技機を利用することで、クレジットを還元することができる。図６は、遊技機によるクレジット還元の手順例を示している。
【００９２】
図６において、遊技機は、チケットに印刷されたバーコードを読み取って(Ｓ２１)、クレジット情報を読み取り（Ｓ２２）、読み取ったクレジット情報をデータ管理部に送信する（Ｓ２３）。
【００９３】
データ管理部は、クレジット情報を解析して、クレジット識別データとクレジットデータを取得する（Ｓ２４）。また、記録装置に格納しておいたクレジット識別データとクレジットデータを読み出し（Ｓ２５）、遊技機から取得したクレジット識別データ及びクレジットデータと記録装置から読み出したクレジット識別データ及びクレジットデータを照合する。なお、ここでは、クレジット識別データとクレジットデータの２つについて照合処理を行うことで、クレジットが正規なものであるか不正の可能性があるかを認証しているが、クレジット識別データのみによってクレジットの正当性を確認してもよい（Ｓ２６）。
【００９４】
正しく照合が行われた場合には（Ｓ２７）、遊技機に対してクレジットの還元を許容する処理を送信し（Ｓ２８）、クレジットデータを管理している場合には、還元したクレジットのクレジットデータを更新する（Ｓ２９）。
【００９５】
遊技機は、クレジットの還元を許容する信号を受信すると（Ｓ３０）、クレジットを還元する。クレジットの還元は、例えば、クレジットデータで定められたクレジット分だけ遊技機を実行することで行うことができる。クレジットの還元が終了したチケットは、遊技機側の回収する他、還元済みの処理を行った後に利用者に返却してもよい。なお、クレジットの還元は、遊技機の実行に限らず、他の処理としてもよい（Ｓ３１）。
【００９６】
Ｓ２６の照合処理において、非照合と判定されたときは（Ｓ３２）、チケットを返却する指示を遊技機に送信する（Ｓ３３）。
【００９７】
遊技機はチケットの返却指令を受け取ると（Ｓ３４）、チケットを利用者に返却する（Ｓ３５）。
【００９８】
また、クレジット識別データの照合において、盗難や改竄等の不正が明らかな場合には、チケットを返却することなくそのまま回収する処理とすることもできる。
【００９９】
次に、図７〜図１２を用いてクレジット情報の変換について説明する。図７は遊技機用データコンバータの構成例を説明するための図であり、図８〜図１０は遊技機用データコンバータでクレジット情報を変換後、記録媒体にクレジット情報を記録する構成例であり、図１１、図１２は遊技機用データコンバータでクレジットデータを含むクレジット情報を変換後、記録媒体にクレジット識別データを記録する構成例である。
【０１００】
なお、以下では、記録媒体は、電子媒体を備えたカードを例として説明する。図７において、遊技機用データコンバータ１は、チケット１１からクレジット情報を読み出す読み出し部１ｇと、クレジット情報をカードに搭載する電子媒体への書き込みを行う書き込み部１ｆと、カードの種類を選択する選択部１ｅと、チケット１１から読み取ったバーコード等のデータ形式のクレジット情報を電子媒体に書き込むためのデータ形式のデータ変換するデータ変換部１ｄと、選択部１ｅによる選択ガイドやその他の案内表示を行う表示部１ｃと、データ管理部２との間でデータの授受を行う送受信部１ｂと、これらの各部を制御するための制御部１ａを備える。
【０１０１】
データ変換したクレジット情報を書き込む電子媒体は、カードに搭載される。このカードは、会員カードのように予めカード識別データが登録されたカードの他、即時カードのように必要に応じて発行されるカードがある。遊技機用データコンバータは、これら会員カードと即時カードのいずれに対してもクレジット情報を記録することができる。選択部１ｅは、いずれのカードに変換したクレジット情報を記録するかを選択する部分であり、例えば表示部１ｃに表示した選択ガイドに従って選択することができる。
【０１０２】
なお、会員カードのように予めカード識別データが登録されたカードを選択した場合には、カード自体の特定は会員カード識別データのように、既に登録されたカード識別データを用いることができるが、即時カードように予めカード識別データが登録されていないカードを選択した場合には、カード自体の特定を行う即時カード識別データを生成し、生成した即時カード識別データとクレジットとを組み合わせてクレジット情報を生成する。
【０１０３】
以下、クレジット情報の変換について説明する。
【０１０４】
はじめに、記録媒体にクレジット識別データとクレジットデータを記録し、記録媒体においてクレジットの数量を管理する例について説明する。この例によれば、クレジットの数量は、記録媒体を単位として処理されるため、仮にクレジットが不正使用された場合であっても、不正使用の範囲を制限することができる。
【０１０５】
図８において、発行されたチケット１１は、クレジットデータ９０ａ及びクレジット識別データ９０ｂを含むクレジット情報９０がバーコード等のデータ形式で記録されている。遊技機用データコンバータ１は、このチケット１１からクレジット情報９０を読み取って、電子媒体に記録できるデータ形式にデータ変換して書き込む。
【０１０６】
ここで、書き込みを行う電子媒体を搭載するカードが会員カード１２Ａの場合には、そのカードを特定する会員カード識別データ９１ａが既に設定されているため、その会員カード識別データ９１ａに加えてデータ変換したクレジット情報９０を電子媒体に書き込む。
【０１０７】
また、書き込みを行う電子媒体を搭載するカードが即時カード１２Ｂの場合には、そのカードを特定する即時カード識別データ９１ｂが未設定であるため、即時カード識別データ９１ｂを生成し、データ変換したクレジット情報９０と共に電子媒体に書き込む。この即時カード識別データ９１ｂは、遊技機用データコンバータ１内で生成することも、あるいはデータ管理部２側で生成してもよい。データ管理部２側で生成する場合には、遊技機用データコンバータ１は、データ管理部２から生成した即時カード識別データ９１ｂを取得する。
【０１０８】
カードに搭載された電子媒体に書き込まれたクレジット情報は、会員カード識別データ９１ａあるいは即時カード識別データ９１ｂでカードを特定すると共に、クレジット情報９０によってクレジットを特定し、クレジット還元を行う。クレジットの特定は、前記したように、クレジット識別データとクレジットデータの両データに基づいて行う他に、クレジット識別データのみによって行っても良い。
【０１０９】
図９はクレジットの変換処理を説明するための動作手順の一例を示している。また、図１０はクレジット変換処理内の照合処理をするための図である。
【０１１０】
遊技機用データコンバータは、表示部に会員カードの挿入を促すガイド表示を行う（Ｓ４１）。利用者は、ガイド表示に従って、データ変換したクレジットを書き込むカードを会員カードとするかあるいは即時カードとするかを選択し（Ｓ４２，Ｓ４３）、送信する（Ｓ４４）。データ管理部はカード情報を受信する（Ｓ４５）。
【０１１１】
会員カード識別データを取得した場合には、データ管理部に格納しておいた会員カード識別データと照合する（Ｓ４６）。照合が一致した場合には（Ｓ４７）、遊技機用データコンバータに会員カードにデータ変換したクレジット情報を書き込むよう設定する（Ｓ５０）。
【０１１２】
一方、照合が一致しなかった場合や、即時カードが選択された場合には（Ｓ４８）、遊技機用データコンバータに、即時カードを設定するように指示する（Ｓ４９）。遊技機用データコンバータは、即時カードの設定指示を受けると、即時カードにデータ変換したクレジット情報を書き込むよう設定する（Ｓ５１）。
【０１１３】
また、遊技機用データコンバータは、チケットを読み取って（Ｓ５２）、クレジット情報を読み出し（Ｓ５３）、読み出したクレジット情報をデータ管理部に送信する（Ｓ５４）。
【０１１４】
データ管理部は、クレジット情報を解析して、クレジット識別データとクレジットデータを取得する（Ｓ５５）。また、記録装置に格納しておいたクレジット識別データとクレジットデータを読み出し（Ｓ５６）、遊技機から取得したクレジット識別データ及びクレジットデータと記録装置から読み出したクレジット識別データ及びクレジットデータを照合する。
【０１１５】
なお、ここでは、クレジット識別データとクレジットデータの２つについて照合処理を行うことで、クレジットが正規なものであるか不正の可能性があるかを認証しているが、クレジット識別データのみによってクレジットの正当性を確認してもよい。
【０１１６】
図１０は、チケット１１は正規な場合を示し、チケット１１′は不正な場合を示している。チケット１１は正規であるため、クレジット識別データ９０ｂ及びクレジットデータ９０ｂは、データ管理部２側で格納するクレジット識別データ９０ｂ及びクレジットデータ９０ａとの照合において一致する。
【０１１７】
一方、チケット１１′はクレジットデータが改竄されているとしたとき、クレジット識別データ９０ｂは、データ管理部２側で格納するクレジット識別データ９０ｂと一致するが、クレジットデータ９０ａは一致しないため、非照合と判定される。
【０１１８】
なお、ここでは、クレジット識別データとクレジットデータの２つのデータについて照合を行っているが、クレジット識別データのみで行う構成としてもよい。この場合には、クレジットデータによる照合を行わないため、クレジットデータの改竄を検出することはできない（Ｓ５７）。
【０１１９】
正しく照合が行われた場合には（Ｓ５８）、遊技機に対してクレジットの書き込みを許容する処理を送信し（Ｓ６０）、クレジットデータを管理している場合には、クレジットのクレジットデータを更新する（Ｓ６１）。
【０１２０】
遊技機は、クレジットの書き込みを許容する信号を受信すると（Ｓ６２）、会員カードあるいは即時カードにクレジットデータを書き込み（Ｓ６３，Ｓ６４）、会員カードについて返却し、即時カードについては発行処理を行う（Ｓ６５）。
【０１２１】
Ｓ５７の照合処理において、非照合と判定されたときは（Ｓ５９）、チケットを返却する指示を遊技機に送信する（Ｓ６６）。
【０１２２】
遊技機はチケットの返却指令を受け取ると（Ｓ６７）、チケットを利用者に返却する（Ｓ６８）。
【０１２３】
なお、クレジット識別データの照合において、会員カードにおいて、盗難や改竄等の不正が明らかな場合には、会員カードの返却を保留とする処理とすることもできる。
【０１２４】
次に、記録媒体にクレジット識別データのみを記録し、クレジットの数量を管理はデータ管理部で行う例について説明する。この例によれば、クレジットの数量はデータ管理部で一括して行うため、チケット発行に伴うクレジットの発生、遊技機用データコンバータによるクレジットの変換、カードを利用した遊技機の使用に伴うクレジットの還元（あるいは消費）等の各場面におけるクレジットの変動の履歴を把握することができる。
【０１２５】
図１１において、発行されたチケット１１は、クレジットデータ９０ａ及びクレジット識別データ９０ｂを含むクレジット情報９０がバーコード等のデータ形式で記録されている。遊技機用データコンバータ１は、このチケット１１からクレジット情報９０を読み取り、クレジット情報９０からクレジット識別データ９０ｂを選択して、電子媒体に記録できるデータ形式にデータ変換して書き込む。
【０１２６】
ここで、書き込みを行う電子媒体を搭載するカードが会員カード１２Ａの場合には、そのカードを特定する会員カード識別データ９１ａが既に設定されているため、その会員カード識別データ９１ａに加えてデータ変換したクレジット識別データ９０ｂを電子媒体に書き込む。
【０１２７】
また、書き込みを行う電子媒体を搭載するカードが即時カード１２Ｂの場合には、そのカードを特定する即時カード識別データ９１ｂが未設定であるため、即時カード識別データ９１ｂを生成し、データ変換したクレジット識別データ９０ｂと共に電子媒体に書き込む。この即時カード識別データ９１ｂは、遊技機用データコンバータ１内で生成することも、あるいはデータ管理部２側で生成してもよい。データ管理部２側で生成する場合には、遊技機用データコンバータ１は、データ管理部２から生成した即時カード識別データ９１ｂを取得する。
【０１２８】
カードに搭載された電子媒体に書き込まれたクレジット識別データはカードを特定し、クレジット還元を行う。
【０１２９】
図１２は、カード側はデータ識別データのみを有する構成において、クレジットの変換処理を説明するための動作手順の一例を示している。
【０１３０】
遊技機用データコンバータは、表示部に会員カードの挿入を促すガイド表示を行う（Ｓ７１）。利用者は、ガイド表示に従って、データ変換したクレジットを書き込むカードを会員カードとするかあるいは即時カードとするかを選択し（Ｓ７２，Ｓ７３）、送信する（Ｓ７４）。データ管理部はカード情報を受信する（Ｓ７５）。
【０１３１】
会員カード識別データを取得した場合には、データ管理部に格納しておいた会員カード識別データと照合する（Ｓ７６）。
【０１３２】
照合が一致しなかった場合や、即時カードが選択された場合には（Ｓ７８）、遊技機用データコンバータに、即時カードを設定するように指示する（Ｓ７９）。
【０１３３】
遊技機用データコンバータでは、即時カードのカード識別データを生成し（Ｓ８０）、データ管理部からの即時カード識別データ設定指令に基づいて、即時カードに生成した即時カード識別データを書き込む（Ｓ８１）。
【０１３４】
また、遊技機用データコンバータは、チケットを読み取って（Ｓ８２）、クレジット情報を読み出し（Ｓ８３）、読み出したクレジット情報をデータ管理部に送信する（Ｓ８４）。
【０１３５】
データ管理部は、クレジット情報を解析して、クレジット識別データとクレジットデータを取得する（Ｓ８５）。
【０１３６】
記録装置に格納しておいたクレジット識別データを読み出し（Ｓ８６）、遊技機から取得したクレジット識別データと記録装置から読み出したクレジット識別データを照合する。なお、ここでは、クレジット識別データを用いて照合処理を行うことで、クレジットが正規なものであるか不正の可能性があるかを認証しているが、クレジット識別データとクレジットデータの２つのデータを用いてクレジットの正当性を確認してもよい。
【０１３７】
正しく照合が行われた場合には（Ｓ８８）、遊技機に対してクレジットの書き込みを許容する処理を送信し（Ｓ９０）、クレジットのクレジットデータを更新し（Ｓ９１）、会員カードのデータについても更新する（Ｓ９２）。
【０１３８】
遊技機は、クレジットの書き込みを許容する信号を受信すると（Ｓ９３）、会員カードあるいは即時カードにクレジットデータを書き込み、会員カードについて返却し、即時カードについては発行処理を行う（Ｓ９４，Ｓ９５）。
【０１３９】
Ｓ８７の照合処理において、非照合と判定されたときは（Ｓ８９）、チケットを返却する指示を遊技機に送信する（Ｓ９６）。
【０１４０】
遊技機はチケットの返却指令を受け取ると（Ｓ９７）、チケットを利用者に返却する（Ｓ９８）。
【０１４１】
なお、クレジット識別データの照合において、会員カードにおいて、盗難や改竄等の不正が明らかな場合には、会員カードの返却を保留とする処理とすることもできる。
【０１４２】
カードを用いたクレジットの還元処理について図１３を用いて説明する。
図１３において、遊技機は、カードに搭載された電子媒体に記録されたデータを読み取って(Ｓ１０１)、カード識別データ（会員カード識別データあるいは即時カード識別データ）、及びクレジット情報を読み取り（Ｓ１０２）、読み取ったカード識別データ及びクレジット情報をデータ管理部に送信する（Ｓ１０３）。
【０１４３】
データ管理部は、カード識別データ及びクレジット情報を受信し、クレジット情報を解析して、クレジット識別データとクレジットデータを取得する（Ｓ１０４）。また、記録装置に格納しておいた、カード識別データ、クレジット識別データ及びクレジットデータを読み出し（Ｓ１０５）、遊技機から取得したカード識別データ、クレジット識別データ及びクレジットデータと記録装置から読み出したカード識別データ、クレジット識別データ及びクレジットデータをそれぞれ照合する。
【０１４４】
なお、この照合では、カード識別データによってカード自体の照合を行い（Ｓ１０６）、クレジット情報によってクレジットの照合を行う（Ｓ１０９）。Ｓ１０９のクレジットの照合は、クレジット識別データとクレジットデータの２つについて照合処理を行う他、クレジット識別データのみによって行っても良い。
【０１４５】
Ｓ１０６のカードの照合において正規なカードと判定され、さらにＳ１０９のクレジットの照合において正規なクレジットと判定された場合には（Ｓ１１０）、遊技機に対してクレジットの還元を許容する処理を送信し（Ｓ１１２）、クレジットデータを管理している場合には、還元したクレジットのクレジットデータを更新する（Ｓ１１３）。
【０１４６】
遊技機は、クレジットの還元を許容する信号を受信すると（Ｓ１１４）、クレジットを還元する。クレジットの還元は、例えば、クレジットデータで定められたクレジット分だけ遊技機を実行することで行うことができる。クレジットの還元が終了したチケットは、遊技機側の回収する他、還元済みの処理を行った後に利用者に返却してもよい。なお、クレジットの還元は、遊技機の実行に限らず、他の処理としてもよい（Ｓ１１５）。
【０１４７】
クレジットを還元した後、会員カードについてはクレジットデータを書き換え（Ｓ１１６）、また、即時カードについてはクレジットデータを消去し（Ｓ１１７）、カードを返却する（Ｓ１２０）。
【０１４８】
Ｓ１０８のカードの照合処理において非照合と判定されたとき、及びＳ１０９のクレジットの照合処理において非照合と判定されたときは（Ｓ１１１）、チケットを返却する指示を遊技機に送信する（Ｓ１１８）。
【０１４９】
遊技機はチケットの返却指令を受け取ると（Ｓ１１９）、チケットを利用者に返却する（Ｓ１２０）。
【０１５０】
また、クレジット識別データの照合において、盗難や改竄等の不正が明らかな場合には、チケットを返却することなくそのまま回収する処理とすることもできる。
【０１５１】
本発明の遊技機用データコンバータでは、クレジットに有効期限を設定することができる。図１４は、クレジットに有効期限を設定する場合の遊技機用データコンバータの動作を説明するための図である。なお、図１４では、カードに搭載される電子媒体にクレジットを記録する例を示している。
【０１５２】
有効期限は、チケットの段階で設定する他、遊技機用データコンバータによるデータ変換の段階で設定してもよい。図１４では、両段階について有効期限を設定するようにしているが、いずれか一方で設定する態様や、チケットの段階で設定した有効期限を遊技機用データコンバータで設定更新する態様としてもよい。
【０１５３】
図１４において、発行されたチケット１１は、クレジットデータ９０ａ及びクレジット識別データ９０ｂを含むクレジット情報９０がバーコード等のデータ形式で記録されている。また、このチケット１１に有効期限データ９２が設定してもよい。
【０１５４】
遊技機用データコンバータ１は、このチケット１１からクレジット情報９０を読み取り、クレジット情報９０からクレジット識別データ９０ｂを選択して、電子媒体に記録できるデータ形式にデータ変換して書き込む。
【０１５５】
また、有効期限データ９２が設定されている場合には、この有効期限データ９２をデータ変換してカードに搭載する電子媒体に書き込む他、新た有効期限を設定し、チケット１１に設定された有効期限と異なる有効期限の有効期限データ９２を設定してもよい。
【０１５６】
ここで、書き込みを行う電子媒体を搭載するカードが会員カード１２Ａの場合には、そのカードを特定する会員カード識別データ９１ａが既に設定されているため、その会員カード識別データ９１ａに加えてデータ変換したクレジット識別データ９０ｂを電子媒体に書き込む。
【０１５７】
また、書き込みを行う電子媒体を搭載するカードが即時カード１２Ｂの場合には、そのカードを特定する即時カード識別データ９１ｂが未設定であるため、即時カード識別データ９１ｂを生成し、データ変換したクレジット識別データ９０ｂと共に電子媒体に書き込む。この即時カード識別データ９１ｂは、遊技機用データコンバータ１内で生成することも、あるいはデータ管理部２側で生成してもよい。データ管理部２側で生成する場合には、遊技機用データコンバータ１は、データ管理部２から生成した即時カード識別データ９１ｂを取得する。
【０１５８】
データ管理部や遊技機は、カードに記録された有効期限データ９２を読み出し、この有効期限に基づいてクレジット情報の有効・無効を判定する。
【０１５９】
図１５を用いて、カードに有効期限が設定されている場合のクレジットの還元処理の動作例について説明する。
【０１６０】
図１５において、遊技機は、カードに搭載された電子媒体に記録されたデータを読み取って(Ｓ１２１)、カード識別データ（会員カード識別データあるいは即時カード識別データ）、クレジット情報、及び有効期限データを読み取り（Ｓ１２２）、読み取ったカード識別データ、クレジット情報及び有効期限データをデータ管理部に送信する（Ｓ１２３）。
【０１６１】
データ管理部は、カード識別データ、クレジット情報及び有効期限データを受信し、クレジット情報を解析して、クレジット識別データとクレジットデータを取得する（Ｓ１２４）。また、記録装置に格納しておいた、カード識別データ、クレジット識別データ及びクレジットデータを読み出し（Ｓ１２５）、遊技機から取得したカード識別データ、クレジット識別データ及びクレジットデータと記録装置から読み出したカード識別データ、クレジット識別データ及びクレジットデータをそれぞれ照合する。
【０１６２】
なお、この照合では、カード識別データによってカード自体の照合を行い（Ｓ１２６）、クレジット情報によってクレジットの照合を行う（Ｓ１２９）。Ｓ１２９のクレジットの照合は、クレジット識別データとクレジットデータの２つについて照合処理を行う他、クレジット識別データのみによって行っても良い。
【０１６３】
Ｓ１２６のカードの照合において正規なカードと判定され、さらにＳ１２９のクレジットの照合において正規なクレジットと判定された場合には（Ｓ１３０）、有効期限を確認し（Ｓ１３２）、有効期限内である場合には、遊技機に対してクレジットの還元を許容する処理を送信し（Ｓ１３３）、クレジットデータを管理している場合には、還元したクレジットのクレジットデータを更新する（Ｓ１３４）。
【０１６４】
遊技機は、クレジットの還元を許容する信号を受信すると（Ｓ１３５）、クレジットを還元する（Ｓ１３６）。
【０１６５】
クレジットを還元した後、会員カードについてはクレジットデータを書き換え（Ｓ１３７）、また、即時カードについてはクレジットデータを消去し（Ｓ１３８）、カードを返却する（Ｓ１３９）。
【０１６６】
Ｓ１２８のカードの照合処理において非照合と判定されたとき、及びＳ１２９のクレジットの照合処理において非照合と判定されたときは（Ｓ１３１）、チケットを返却する指示を遊技機に送信する（Ｓ１４０）。
【０１６７】
遊技機はチケットの返却指令を受け取ると（Ｓ１３９）、チケットを利用者に返却する（Ｓ１４１）。
【０１６８】
また、クレジット識別データの照合において、盗難や改竄等の不正が明らかな場合には、チケットを返却することなくそのまま回収する処理とすることもできる。
【０１６９】
前記図７に示した遊技機用データコンバータは、チケットに記録されたクレジット情報をカードにデータ変換するものであるが、本発明の遊技機用データコンバータは、カードに記録されたクレジット情報をチケットにデータ変換する機能を備える構成としてもよい。
【０１７０】
図１６は、チケットからカードへのデータ変換の機能とカードからチケットへのデータ変換の機能の２つの機能を備える構成例を示している。図１６に示す構成例は、図７の構成に示した構成に加えて、カードからチケットへのデータ変換を行うための構成として、チケット発行部１ｈと記録媒体（カード）読み取り部１ｉを備える。
【０１７１】
記録媒体（カード）読み取り部１ｉは、カードに搭載された電子媒体に記録されたクレジット情報やカード識別データ等を読み出し、データ変換した後、チケット発行部１ｈが備えるチケット印刷部１ｈ１によりチケット面上にバーコード等を印刷する。
【０１７２】
データ変換は、前記したチケットからカードへの場合と同様とすることができるため、詳細な説明は省略する。
【産業上の利用可能性】
【０１７３】
本発明の遊技機用データコンバータ及びクレジット管理システムは、遊技施設内に設置される各種遊技機に適用することができる。
【図面の簡単な説明】
【０１７４】
【図１】本発明の遊技機用データコンバータの利用形態を説明するための図である。
【図２】本発明の遊技機用データコンバータの利用形態を説明するための図である。
【図３】クレジットの利用する遊技機、及び遊技機施設が備える構成を説明するための図である。
【図４】チケットの発行処理の流れを説明するための図である。
【図５】チケットの発行処理を説明するための機能ブロック図である。
【図６】クレジットの還元処理の流れを説明するための図である。
【図７】遊技機用データコンバータの構成例を説明するための図である。
【図８】遊技機用データコンバータのデータ交換を説明するための図である。
【図９】遊技機用データコンバータのデータ交換の動作を説明するための図である。
【図１０】遊技機用データコンバータのデータ交換時の照合動作を説明するための図である。
【図１１】遊技機用データコンバータのデータ交換を説明するための図である。
【図１２】遊技機用データコンバータのデータ交換の動作を説明するための図である。
【図１３】カードを用いたクレジットの還元処理の動作を説明するための図である。
【図１４】有効期限が設定されたクレジットのデータ交換を説明するための図である。
【図１５】有効期限が設定されたクレジットの還元処理の動作を説明するための図である。
【図１６】チケットからカードへのデータ変換の機能とカードからチケットへのデータ変換の機能の２つの機能を備える構成例を説明するための図である。
【図１７】チケットを用いた遊技機を説明するための図である。
【符号の説明】
【０１７５】
１  遊技機用データコンバータ
１ａ  制御部
１ｂ  送受信部
１ｃ  表示部
１ｄ  データ変換部
１ｅ  選択部
１ｆ  書き込み部
１ｇ  読み出し部
１ｈ  チケット発行部
１ｈ１  チケット印刷部
１ｉ  カード読み取り部
２  データ管理部
３，３Ａ，３Ｂ，３Ｃ  遊技機
３ａ  制御部
３ｂ  送受信部
３ｃ  表示部
３ｄ  遊技制御部
３ｅ  コイン認識部
３ｆ  カード読み取り部
３ｇ  バーコート゛読み取り部
３ｈ  チケット発行部
３ｈ１  チケット印刷部
３α  チケット非対応遊技機
３β  チケット対応遊技機
１１  チケット
１１ａ  バーコード
１２  記録媒体
１２Ａ  会員カード
１２Ｂ  即時カード
１３  コイン
９０  クレジット情報
９０ａ  クレジットデータ
９０ｂ  クレジット識別データ
９１ａ  会員カード識別データ
９１ｂ  即時カード識別データ
９２  有効期限データ
【図１】
2007136072.tif 000003
【図２】
2007136072.tif 000004
【図３】
2007136072.tif 000005
【図４】
2007136072.tif 000006
【図５】
2007136072.tif 000007
【図６】
2007136072.tif 000008
【図７】
2007136072.tif 000009
【図８】
2007136072.tif 000010
【図９】
2007136072.tif 000011
【図１０】
2007136072.tif 000012
【図１１】
2007136072.tif 000013
【図１２】
2007136072.tif 000014
【図１３】
2007136072.tif 000015
【図１４】
2007136072.tif 000016
【図１５】
2007136072.tif 000017
【図１６】
2007136072.tif 000018
【図１７】
2007136072.tif 000019